(57)【要約】【課題】第２の携帯用電子装置を充電する、又は第２の携帯用電子装置から電力を取得するために用いられる携帯用電子装置の相互電力供給システムを提供する。【解決手段】携帯用電子装置の相互電力供給システムは、電力輸送媒介と、第１の携帯用電子装置とを備える。電力輸送媒介は、第１の電力節点と、電力を輸送できるように第２の携帯用電子装置に接続するための第２の電力節点とを有する。第１の携帯用電子装置は、少なくとも、第１のデータ処理モジュール、第１の記憶モジュール、第１の内蔵電源モジュール、第１の電力管理モジュール、第１の電力ポートを備える。第１の電力管理モジュールは、第１のデータ処理モジュールの制御によって、電流が第１の電力節点から第１の電力管理モジュールを介して第１の内蔵電源モジュールに流れること、又は、電流が第１の内蔵電源モジュールから第１の電力管理モジュールを介して第１の電力節点に流れることを決める。【選択図】図１
2015207266.tif 000002
【特許請求の範囲】
【請求項１】
第２の携帯用電子装置を充電する、又は前記第２の携帯用電子装置から電力を取得するために用いられる携帯用電子装置の相互電力供給システムであって、
第１の電力節点と、電力を輸送できるように前記第２の携帯用電子装置に接続するための第２の電力節点とを有する電力輸送媒介と、
少なくとも、データを処理するための第１のデータ処理モジュールと、前記第１のデータ処理モジュールに電気接続され、充電管理の設定を記憶する第１の記憶モジュールと、電力を前記第１のデータ処理モジュール及び前記第１の記憶モジュールに供給するための第１の内蔵電源モジュールと、電力を輸送できるように前記第１の電力節点に接続する第１の電力ポートと、前記第１の電力ポートと前記第１の内蔵電源モジュールの間に設けられ、前記第１の内蔵電源モジュールの電容量を検出するための第１の電力管理モジュールと、有する第１の携帯用電子装置と、を備え、
前記第１の電力管理モジュールは、前記第１のデータ処理モジュールの制御によって、電流が前記第１の電力節点から前記第１の電力管理モジュールを介して前記第１の内蔵電源モジュールに流れること、又は、電流が前記第１の内蔵電源モジュールから前記第１の電力管理モジュールを介して前記第１の電力節点に流れることを決める、ことを特徴とする携帯用電子装置の相互電力供給システム。
【請求項２】
前記電力輸送媒介は、導線であり、前記第１の電力節点と前記第２の電力節点は、それぞれ、第１のコネクタ及び第２のコネクタである、請求項１に記載の携帯用電子装置の相互電力供給システム。
【請求項３】
前記電力輸送媒介は、
フラットケーブルと、
前記第１の携帯用電子装置がその上に放置されるためのものであり、第１の電力節点として、第１の誘導コイルを有する第１のワイヤレス充電セットと、
前記第２の携帯用電子装置がその上に放置されるためのものであり、第２の電力節点として、フラットケーブルを介して前記第１の誘導コイルに電気接続される第２の誘導コイルを有する第２のワイヤレス充電セットと、を備え、
前記第１の携帯用電子装置は、前記第１の誘導コイルと互いに誘導し、前記第１の電力ポートとして用いられる装置端誘導コイルをさらに備える、請求項１に記載の携帯用電子装置の相互電力供給システム。
【請求項４】
前記電力輸送媒介は、
前記第１の電力節点として用いられ、且つ前記第１の携帯用電子装置に設けられる第１の電気コネクタと、
前記第２の電力節点として用いられ、且つ前記第２の携帯用電子装置に設けられる第２の電気コネクタと、を備え、
前記第１の電気コネクタ及び第２の電気コネクタは、デュアル可能に接続されている、請求項１に記載の携帯用電子装置の相互電力供給システム。
【請求項５】
第１の携帯用電子装置に適用し、第２の携帯用電子装置を充電する、又は前記第２の携帯用電子装置から電力を取得するために用いられるものであり、
第１の電力節点と第２の電力節点を有する電力輸送媒介を提供し、前記第１の電力節点が電力を輸送できるように前記第１の携帯用電子装置に接続するとともに、前記第２の電力節点が電力を輸送できるように前記第２の携帯用電子装置に接続するようにするステップと、
電力管理モジュールで前記第１の携帯用電子装置及び前記第２の携帯用電子装置の電容量を取得するステップと、
第１のデータ処理モジュールで前記第１の携帯用電子装置前記及び第２の携帯用電子装置の電容量を比較するステップと、
前記第１の携帯用電子装置の電容量が前記第２の携帯用電子装置の電容量よりも小さいと、前記第１の電力管理モジュールが、前記第１のデータ処理モジュールの制御によって、電流が前記第１の電力節点から前記第１の電力管理モジュールを介して前記第１の携帯用電子装置を充電することを決めるステップと、
前記第１の携帯用電子装置の電容量が前記第２の携帯用電子装置の電容量よりも大きいと、前記第１の電力管理モジュールが、前記第１のデータ処理モジュールの制御によって、電流が前記第１の携帯用電子装置から前記第１の電力節点、第２の電力節点へ流れるようにし、前記第２の携帯用電子装置を充電するステップと、を備える、ことを特徴とする携帯用電子装置の相互電力供給方法。
【請求項６】
単方向への充電を強制する指令があるかを判断し、該指令がある場合、前記第２の携帯用電子装置への前記第１の携帯用電子装置の充電を強制するステップをさらに備える、請求項５に記載の携帯用電子装置の相互電力供給方法。
【請求項７】
単方向への受電を強制する指令があるかを判断し、該指令がある場合、前記第１の携帯用電子装置への前記第２の携帯用電子装置の充電を強制するステップをさらに備える、請求項５に記載の携帯用電子装置の相互電力供給方法。
【請求項８】
第１の携帯用電子装置と第２の携帯用電子装置が互いに充電されるためのものであり、前記第１の携帯用電子装置と前記第２の携帯用電子装置は、それぞれ、第１の内蔵電源モジュールと第２の内蔵電源モジュールを備え、
前記電力輸送媒介は、
電力を輸送できるように前記第１の内蔵電源モジュールに接続するための第１の電力節点と、
電力を輸送できるように前記第２の内蔵電源モジュールに接続するための第２の電力節点と、
データを処理するためのデータ処理モジュールと、
前記データ処理モジュールに電気接続され、充電管理設定を記憶する記憶モジュールと、
前記第１の電力節点及び前記第２の電力節点に電気接続され、前記第１の内蔵電源モジュール及び前記第２の内蔵電源モジュールの電容量を検出するための電力管理モジュールと、を備え、
前記電力管理モジュールは、前記データ処理モジュールの制御によって、前記第１の内蔵電源モジュールから前記第２の内蔵電源モジュールへ電流の流れ、又は前記第２の内蔵電源モジュールから前記第１の内蔵電源モジュールへ電流の流れを決める、ことを特徴とする携帯用電子装置の相互電力供給に用いる電力輸送媒介。
【請求項９】
前記第１の電力節点と前記第２の電力節点は、それぞれ、第１のコネクタ及び第２のコネクタである、請求項８に記載の携帯用電子装置の相互電力供給に用いる電力輸送媒介。
【請求項１０】
前記電力輸送媒介は、
前記第１の携帯用電子装置がその上に放置されるためのものであり、第１の電力節点として、第１の誘導コイルを有する第１のワイヤレス充電セットと、
前記第２の携帯用電子装置がその上に放置されるためのものであり、第２の誘導コイルを有する第２のワイヤレス充電セットと、を備え、
前記第１の携帯用電子装置と前記第２の携帯用電子装置は、前記第１の誘導コイル及び前記第２の誘導コイルと互いに誘導する装置端誘導コイルをさらに備える、請求項８に記載の携帯用電子装置の相互電力供給に用いる電力輸送媒介。
【発明の詳細な説明】
【技術分野】
【０００１】
本発明は、携帯用電子装置の電力管理に関り、特に、携帯用電子装置の相互電力供給システム、方法及び電力輸送媒介に関る。
【背景技術】
【０００２】
携帯用電子装置は、内蔵電源（二次電池又は超コンデンサ）を主な電力源とする。内蔵電源の電容量は、一定の程度に限られるものであり、電力が不足となる場合、携帯用電子装置が外部電源に接続して電力供給を受けると共に内蔵電源を充電することとなる。
外出の時に予備電力を提供するため、高容量の電池を配置した電源が常用の外部電源となることが多く、ＡＣ家用電力を得られない場合に携帯用電子装置に対して電力を供給し、内蔵電源を充電する。
【０００３】
多くの場合に、人々が移動電源又はＡＣからＤＣへ変換する充電機を持たずに、携帯用電子装置を複数持っている。この場合、使用が必要となる携帯用電子装置の電力が不足となり、他の携帯用電子装置は、その電力が十分となるが未使用の状態にある。これらの携帯用電子装置は、何れも、同じ規格である着脱可能な内蔵電源を使用するものであり、そうでないと、電力が十分となるが未使用の状態にある携帯用電子装置が電力の供給に対する何れの作用も奏しない。
【先行技術文献】
【特許文献】
【０００４】
【特許文献１】特開２０１０−１５７１９８号公報
【発明の概要】
【発明が解決しようとする課題】
【０００５】
携帯用電子装置の間の内蔵電源は、必ずしも交換して使用できるものでなく、互いに予備電力に用いられず、本発明に提出の携帯用電子装置の相互電力供給システム、携帯用電子装置の相互電力供給方法及び電力輸送媒介は、二個の携帯用電子装置をそれらの間に互いに予備電力源とするためのものである。
【課題を解決するための手段】
【０００６】
本発明は、前記問題を解決するためになされたものであり、その目的が、第２の携帯用電子装置を充電する、又は第２の携帯用電子装置から電力を取得するために用いられる携帯用電子装置の相互電力供給システムを提供することにある。携帯用電子装置の相互電力供給システムは、電力輸送媒介と、第１の携帯用電子装置とを備える。
【０００７】
電力輸送媒介は、第１の電力節点と、電力を輸送できるように第２の携帯用電子装置に接続するための第２の電力節点とを有する。
第１の携帯用電子装置は、少なくとも、第１のデータ処理モジュール、第１の記憶モジュール、第１の内蔵電源モジュール、第１の電力管理モジュール、第１の電力ポートを備える。
第１のデータ処理モジュールは、データを処理するためのものであり、第１の記憶モジュールは、第１のデータ処理モジュールに電気接続され、充電管理の設定を記憶するものであり、第１の内蔵電源モジュールは、電力を第１のデータ処理モジュール及び第１の記憶モジュールに供給するためのものであり、第１の電力管理モジュールは、第１の電力ポートと第１の内蔵電源モジュールの間に設けられ、第１の内蔵電源モジュールの電容量を検出するためのものであり、第１の電力ポートは、電力を輸送できるように第１の電力節点に接続するものである。
第１の電力管理モジュールは、第１のデータ処理モジュールの制御によって、電流が第１の電力節点から第１の電力管理モジュールを介して第１の内蔵電源モジュールに流れること、又は、電流が第１の内蔵電源モジュールから第１の電力管理モジュールを介して第１の電力節点に流れることを決める。
【０００８】
本発明の少なくとも一実施例において、電力輸送媒介は、導線であり、第１の電力節点と第２の電力節点は、それぞれ、第１のコネクタ及び第２のコネクタである。
本発明の少なくとも一実施例において、電力輸送媒介は、フラットケーブルと、第１のワイヤレス充電セットと、第１のワイヤレス充電セットとを備える。第１のワイヤレス充電セットは、第１の携帯用電子装置がその上に放置されるためのものであり、第１の電力節点として、第１の誘導コイルを有し、第２のワイヤレス充電セットは、第２の携帯用電子装置がその上に放置されるためのものであり、第２の電力節点として、第２の誘導コイルを有し、第１の誘導コイルは、フラットケーブルを介して第２の誘導コイルに電気接続され、第１の携帯用電子装置は、第１の誘導コイルと互いに誘導し、第１の電力ポートとして用いられる装置端誘導コイルをさらに備える。
【０００９】
本発明の少なくとも一実施例において、電力輸送媒介は、第１の電気コネクタと、第２の電気コネクタとを備える。第１の電気コネクタは、第１の電力節点として用いられ、且つ第１の携帯用電子装置に設けられるものであり、第２の電気コネクタは、第２の電力節点として用いられ、且つ第２の携帯用電子装置に設けられるものであり、第１の電気コネクタ及び第２の電気コネクタは、デュアル可能に接続されている。
【００１０】
本発明の他の一実施例において、第１の携帯用電子装置に適用し、第２の携帯用電子装置を充電する、又は第２の携帯用電子装置から電力を取得するために用いられるものであり、第１の電力節点と第２の電力節点を有する電力輸送媒介を提供し、第１の電力節点が電力を輸送できるように第１の携帯用電子装置に接続するとともに、第２の電力節点が電力を輸送できるように第２の携帯用電子装置に接続するようにするステップと、電力管理モジュールで第１の携帯用電子装置及び第２の携帯用電子装置の電容量を取得するステップと、第１のデータ処理モジュールで第１の携帯用電子装置及び第２の携帯用電子装置の電容量を比較するステップと、第１の携帯用電子装置の電容量が第２の携帯用電子装置の電容量よりも小さいと、第１の電力管理モジュールが、第１のデータ処理モジュールの制御によって、電流が第１の電力節点から第１の電力管理モジュールを介して第１の携帯用電子装置を充電することを決めるステップと、第１の携帯用電子装置の電容量が第２の携帯用電子装置の電容量よりも大きいと、第１の電力管理モジュールが、第１のデータ処理モジュールの制御によって、電流が第１の携帯用電子装置から第１の電力節点、第２の電力節点へ流れるようにし、第２の携帯用電子装置を充電するステップと、を備える、ことを特徴とする携帯用電子装置の相互電力供給方法を提供する。
【００１１】
本発明の少なくとも一実施例において、単方向への充電を強制する指令があるかを判断し、該指令がある場合、第２の携帯用電子装置への第１の携帯用電子装置の充電を強制するステップをさらに備える。
【００１２】
本発明の少なくとも一実施例において、単方向への受電を強制する指令があるかを判断し、該指令がある場合、第１の携帯用電子装置への第２の携帯用電子装置の充電を強制するステップをさらに備える。
【００１３】
本発明の他の一実施例において、第１の携帯用電子装置と第２の携帯用電子装置が互いに充電されるためのものであり、第１の携帯用電子装置と第２の携帯用電子装置は、それぞれ、第１の内蔵電源モジュールと第２の内蔵電源モジュールを備える携帯用電子装置の相互電力供給に用いる電力輸送媒介を提供する。電力輸送媒介は、第１の電力節点と、第２の電力節点と、データ処理モジュールとを備える。
【００１４】
第１の電力節点は、電力を輸送できるように第１の内蔵電源モジュールに接続するためのものであり、第２の電力節点は、電力を輸送できるように第２の内蔵電源モジュールに接続するためのものであり、データ処理モジュールは、データを処理するためものであり、記憶モジュールは、データ処理モジュールに電気接続され、充電管理設定を記憶するものであり、電力管理モジュールは、第１の電力節点及び第２の電力節点に電気接続され、第１の内蔵電源モジュール及び第２の内蔵電源モジュールの電容量を検出するためのものであり、電力管理モジュールは、データ処理モジュールの制御によって、第１の内蔵電源モジュールから第２の内蔵電源モジュールへ電流の流れ、又は第２の内蔵電源モジュールから第１の内蔵電源モジュールへ電流の流れを決める。
【００１５】
本発明の少なくとも一実施例において、第１の電力節点と第２の電力節点は、それぞれ、第１のコネクタ及び第２のコネクタである。
本発明の少なくとも一実施例において、電力輸送媒介は、第１のワイヤレス充電セットと、第１のワイヤレス充電セットとを備える。第１のワイヤレス充電セットは、第１の携帯用電子装置がその上に放置されるためのものであり、第１の電力節点として、第１の誘導コイルを有し、第２のワイヤレス充電セットは、第２の携帯用電子装置がその上に放置されるためのものであり、第２の誘導コイルを有し、第１の携帯用電子装置と第２の携帯用電子装置は、第１の誘導コイル及び第２の誘導コイルと互いに誘導する装置端誘導コイルをさらに備える。
【発明の効果】
【００１６】
本発明に提出のシステム、方法又は電力輸送媒介によれば、緊迫な充電要求を解決するように携帯用電子装置の間に充電できるとともに、使用されず十分な電力を持つ携帯用電子装置を効率的に利用できる。
【図面の簡単な説明】
【００１７】
【図１】本発明の第１の実施例に係る携帯用電子装置の相互電力供給システムの回路ブラック図である。
【図２】本発明の第１の実施例における第１の携帯用電子装置の回路ブラック図であり、具体的に第１の携帯用電子装置と電力輸送媒介、第２の携帯用電子装置の接続関係を公開している。
【図３】本発明の第１の実施例における第２の携帯用電子装置の回路ブラック図であり、具体的に第２の携帯用電子装置と電力輸送媒介、第１の携帯用電子装置の接続関係を公開している。
【図４】本発明の第１の実施例における電力輸送媒介の回路ブラック図である。
【図５】本発明に係る携帯用電子装置の相互電力供給方法のフォローチャートである。
【図６】本発明の第２の実施例における第１の携帯用電子装置、第２の携帯用電子装置及び電力輸送媒介の回路ブラック図である。
【図７】本発明の第三実施例における第１の携帯用電子装置、第２の携帯用電子装置及び電力輸送媒介の回路ブラック図である。
【図８】本発明の第四実施例における電力輸送媒介の回路ブラック図であり、電力輸送媒介、第１の携帯用電子装置及び第２の携帯用電子装置の接続関係を掲示している。
【発明を実施するための形態】
【００１８】
図１と図２に示すように、本発明の第１の実施例に掲示のものは、携帯用電子装置の相互電力供給システム１０００であり、第２の携帯用電子装置２００を充電する、又は第２の携帯用電子装置２００から電力を取得するために用いられるものである。
【００１９】
図１と図２に示すように、携帯用電子装置の相互電力供給システム１０００は、第１の携帯用電子装置１００と電力輸送媒介３００を備える。
【００２０】
前記第１の携帯用電子装置１００又は第２の携帯用電子装置２００は、ノートパソコン、ナビゲーション、機能型携帯電話、スマートフォンであるが、これらに限定されない。図１と図２に示すように、第１の携帯用電子装置１００は、少なくとも、第１のデータ処理モジュール１１０、第１の記憶モジュール１２０、第１の内蔵電源モジュール１３０、第１の電力管理モジュール１４０、第１の電力ポート１５０を備える。
【００２１】
第１のデータ処理モジュール１１０は、データを処理するためのものであり、第１の電力管理モジュール１４０を制御し、第１の電力管理モジュール１４０を通過した電流の方向を制御する。第１の記憶モジュール１２０は、第１のデータ処理モジュール１１０に電気接続され、充電管理の設定を記憶するためのものである。第１の内蔵電源モジュール１３０は、電力を第１のデータ処理モジュール１１０及び第１の記憶モジュール１２０に供給するためのものである。前記第１の内蔵電源モジュール１３０は、二次電池又は超コンデンサである。
【００２２】
第１の電力管理モジュール１４０は、第１の電力ポート１５０と第１の内蔵電源モジュール１３０の間に設けられ、第１の内蔵電源モジュール１３０の電容量を検出するためのものである。図１と図３に示すように、第２の携帯用電子装置２００は、少なくとも、第２のデータ処理モジュール２１０、第２の記憶モジュール２２０、第２の内蔵電源モジュール２３０、第２の電力管理モジュール２４０、第２の電力ポート２５０を備える。第２の携帯用電子装置２００は、第１の携帯用電子装置１００と大体同じで、その異なる点がタイプに過ぎなく、実質上で任意に相互交換されることが可能であり、その異なる点が、携帯用電子装置の相互電力供給時に、どちらが主制御端であるか、どちらが被制御端であるかということに過ぎない。
【００２３】
本発明の実施例において、第１の携帯用電子装置１００は、第１のデータ処理モジュール１１０に接続される第１の通信モジュール１６０及び第１の入力出力インターフェース１７０をさらに備える。第１の通信モジュール１６０は、８０２.１１ワイヤレス通信プロトコル、ブルートゥース通信プロトコル、移動データ通信プロトコルなどの通信プロトコル（ＧＳＭ（登録商標）、ＧＰＲＳ、ＣＤＭＡ、ＨＳＤＰＡ、ＬＩＥ、ＷｉＭＡＸ）を使用するが、これらに限定されない。第１の入力出力インターフェース１７０は、キーボード、タッチ素子、マイクロフォンを有する入力設備と、スクリーン、ランプグループ、音声周波数出力ユニットを有する出力設備とを備えるが、これらに限定されない。第２の携帯用電子装置２００についても、第２の通信モジュール２６０及び第２の入力出力インターフェース２７０を備え、その機能が第１の通信モジュール１６０及び第１の入力出力インターフェース１７０と同じであるので、ここに説明省略する。
【００２４】
図１乃至図４に示すように、電力輸送媒介３００は、第１の電力節点３１０と第２の電力節点３２０を備える。第１の電力節点３１０は、電力を輸送できるように第１の携帯用電子装置１００に接続するためのものであり、具体的に、第１の電力節点３１０は、第１の電力ポート１５０を介して電力を輸送できるように第１の携帯用電子装置１００の第１の内蔵電源モジュール１３０に接続する。第２の電力節点３２０は、電力を輸送できるように第２の携帯用電子装置２００に接続するためのものであり、具体的に、第２の電力節点３２０は、第２の電力ポート２５０を介して電力を輸送できるように第２の携帯用電子装置２００の第２の内蔵電源モジュール２３０に接続する。本実施例において、電力輸送媒介３００は、導線であり、第１の電力節点３１０と第２の電力節点３２０は、それぞれ、第１のコネクタ及び第２のコネクタである。
【００２５】
第１の電力管理モジュール１４０は、第１のデータ処理モジュール１１０の制御によって、電流が第１の電力節点３１０から第１の電力管理モジュール１４０を介して第１の内蔵電源モジュール１３０に流れること、又は、電流が第１の内蔵電源モジュール１３０から第１の電力管理モジュール１４０を介して第１の電力節点３１０に流れることを決める。
図５に示すように、本発明の実施例によれば、本発明は、さらに携帯用電子装置の相互電力供給方法を提供し、該方法が第１の携帯用電子装置１００に適用し、第２の携帯用電子装置２００を充電する、又は第２の携帯用電子装置２００から電力を取得するために用いられるものである。
【００２６】
図１乃至図４に示すように、携帯用電子装置の相互電力供給方法は、第１の電力節点３１０と第２の電力節点３２０を有する電力輸送媒介３００を提供し、第１の電力節点３１０が電力を輸送できるように第１の携帯用電子装置１００に接続するとともに、第２の電力節点３２０が電力を輸送できるように第２の携帯用電子装置２００に接続するようにする。（ステップ１１０）
【００２７】
電力管理モジュールで第１の携帯用電子装置１００及び第２の携帯用電子装置２００の電容量を取得する。（ステップ１２０）前記電力管理モジュールは、第１の携帯用電子装置１００の第１の電力管理モジュール１４０であり、又は、電力輸送媒介３００に設けられる電力管理モジュールである。
【００２８】
第１のデータ処理モジュール１１０で第１の携帯用電子装置１００及び第２の携帯用電子装置２００の電容量を比較する。（ステップ１３０）第１の携帯用電子装置１００の電容量が第２の携帯用電子装置２００の電容量よりも小さいと、第１の電力管理モジュール１４０が、第１のデータ処理モジュール１１０の制御によって、電流が第１の電力節点３１０から第１の電力管理モジュール１４０を介して第１の携帯用電子装置１００を充電することを決める。（ステップ１４０）第１の携帯用電子装置１００の電容量が第２の携帯用電子装置２００の電容量よりも大きいと、第１の電力管理モジュール１４０が、第１のデータ処理モジュール１１０の制御によって、電流が第１の携帯用電子装置１００から第１の電力節点３１０、第２の電力節点３２０へ流れるようにし、第２の携帯用電子装置２００を充電する。（ステップ１５０）ステップ１３０の前に、単方向への充電を強制する指令があるかを判断するステップ（ステップ１６０）をさらに備え、該指令がある場合、充電方向をさらに判断し（ステップ１７０）、第２の携帯用電子装置２００への第１の携帯用電子装置１００の充電を強制する（ステップ１８０）、又は、第１の携帯用電子装置１００への第２の携帯用電子装置２００の充電を強制する（ステップ１９０）。
【００２９】
さらに、電力管理モジュールは、流れた電流の電位を上げることが可能となり、第１の内蔵電源モジュール１３０又は第２の内蔵電源モジュール２３０よりも高くし、充電作業の実行に寄与する。
【００３０】
図６、図７に示すように、本発明の第２の実施例に掲示の電力輸送媒介３００は、本発明に係る携帯用電子装置の相互電力供給システム１０００に適用されるものである。
【００３１】
第２の実施例の電力輸送媒介３００ａは、フラットケーブル３３０ａ、第１のワイヤレス充電セット３４０ａ及び第２のワイヤレス充電セット３５０ａを備える。
【００３２】
第１のワイヤレス充電セット３４０ａは、第１の携帯用電子装置１００がその上に放置されるためのものであり、第１のワイヤレス充電セット３４０ａが第１の誘導コイル３１０ａを備える。第２のワイヤレス充電セット３５０ａは、第２の携帯用電子装置２００がその上に放置されるためのものであり、第２の電力節点としての第２の誘導コイル３２０ａを備え、第１の誘導コイル３１０ａがフラットケーブル３３０ａを介して第２の誘導コイル３２０ａに電気接続される。第１の携帯用電子装置１００及び第２の携帯用電子装置２００は、第１の電力ポート及び第２の電力ポートとして用いられると共に、第１の誘導コイル３１０ａ及び第２の誘導コイル３２０ａと互いに誘導して誘導電流を発生する装置端誘導コイル１５０ａ、２５０ａをさらに備える。
【００３３】
図７に示すように、本発明の第三実施例に掲示の電力輸送媒介３００ｂは、本発明に係る携帯用電子装置の相互電力供給システム１０００に適用されるものである。電力輸送媒介３００ｂは、第１の電気コネクタ３１０ｂ及び第２の電気コネクタ３２０ｂを備える。第１の電気コネクタ３１０ｂは、第１の電力節点として用いられ、且つ第１の携帯用電子装置１００に設けられるものであり、第２の電気コネクタ３２０ｂは、第２の電力節点として用いられ、且つ第２の携帯用電子装置２００に設けられるものである。このうち、第１の電気コネクタ３１０ｂ及び第２の電気コネクタ３２０ｂは、デュアル可能に接続されている。
【００３４】
図８に示すように、前記充電方法及び実施例によれば、本発明の第四実施例は、携帯用電子装置の相互電力供給に用いる電力輸送媒介３００ｃを提出し、第１の携帯用電子装置１００と第２の携帯用電子装置２００が互いに充電されるためのものである。第四実施例の相違は、主に、充電作業の制御権が電力輸送媒介３００ｃに移ることにある。電力輸送媒介３００ｃは、第１の電力節点３１０ｃ、第２の電力節点３２０ｃ、データ処理モジュール３５０ｃ、記憶モジュール３６０ｃ、電力管理モジュール３７０ｃを備える。第１の電力節点３１０ｃは、電力を輸送できるように第１の内蔵電源モジュール１３０に接続するためのものであり、第２の電力節点３２０ｃは、電力を輸送できるように第２の内蔵電源モジュール２３０に接続するためのものである。
【００３５】
データ処理モジュール３５０ｃは、データを処理するためのものであり、記憶モジュールは、データ処理モジュール３５０ｃに電気接続され、充電管理設定を記憶するものであり、電力管理モジュールは、第１の電力節点３１０ｃ及び第２の電力節点３２０ｃに電気接続され、第１の内蔵電源モジュール１３０及び第２の内蔵電源モジュール２３０の電容量を検出するためのものである。第１の電力節点３１０ｃ及び第２の電力節点３２０ｃの変化については、前記第１の実施例、第２の実施例、第三実施例と同じであるので、ここに説明省略する。
【００３６】
電力管理モジュール３７０ｃは、データ処理モジュール３５０ｃの制御によって、第１の内蔵電源モジュール１３０から第２の内蔵電源モジュール２３０へ電流の流れ、又は第２の内蔵電源モジュール２３０から第１の内蔵電源モジュール１３０へ電流の流れを決める。
【００３７】
第４実施例は、主に、充電作業の制御権が電力輸送媒介３００ｃに移ることにあり、第１の携帯用電子装置１００及び第２の携帯用電子装置２００の特別な制作が必要とならず、適用範囲がさらに幅広くなっている。本発明に提出のシステム、方法又は電力輸送媒介によれば、緊迫な充電要求を解決するように携帯用電子装置の間に充電できるとともに、使用されず十分な電力を持つ携帯用電子装置を効率的に利用できる。
【符号の説明】
【００３８】
１０００：携帯用電子装置の相互電力供給システム
１００：第１の携帯用電子装置
１１０：第１のデータ処理モジュール
１２０：第１の記憶モジュール
１３０：第１の内蔵電源モジュール
１４０：第１の電力管理モジュール
１５０：第１の電力ポート
１５０ａ：装置端誘導コイル
１６０：第１の通信モジュール
１７０：第１の入力出力インターフェース
２００：第２の携帯用電子装置
２１０：第２のデータ処理モジュール
２２０：第２の記憶モジュール
２３０：第２の内蔵電源モジュール
２４０：第２の電力管理モジュール
２５０：第２の電力ポート
２５０ａ：装置端誘導コイル
２６０：第２の通信モジュール
２７０：第２の入力出力インターフェース
３００：電力輸送媒介
３１０：第１の電力節点
３２０：第２の電力節点
３００ａ：電力輸送媒介
３００ｂ：電力輸送媒介
３００ｃ：電力輸送媒介
３１０ａ：第１の誘導コイル
３１０ｂ：第１の電気コネクタ
３１０ｃ：第１の電力節点
３２０ａ：第２の誘導コイル
３２０ｂ：第２の電気コネクタ
３２０ｃ：第２の電力節点
３３０ａ：フラットケーブル
３４０ａ：第１のワイヤレス充電セット
３５０ａ：第２のワイヤレス充電セット
３５０ｃ：データ処理モジュール
３６０ｃ：記憶モジュール
３７０ｃ：電力管理モジュール
【図１】
2015207266.tif 000003
【図２】
2015207266.tif 000004
【図３】
2015207266.tif 000005
【図４】
2015207266.tif 000006
【図５】
2015207266.tif 000007
【図６】
2015207266.tif 000008
【図７】
2015207266.tif 000009
【図８】
2015207266.tif 000010
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
第２の携帯用電子装置を充電する、又は前記第２の携帯用電子装置から電力を取得するために用いられる携帯用電子装置の相互電力供給システムであって、
第１の電力節点と、電力を輸送できるように前記第２の携帯用電子装置に接続するための第２の電力節点とを有する電力輸送媒介と、
少なくとも、データを処理するための第１のデータ処理モジュールと、前記第１のデータ処理モジュールに電気接続され、充電管理の設定を記憶する第１の記憶モジュールと、電力を前記第１のデータ処理モジュール及び前記第１の記憶モジュールに供給するための第１の内蔵電源モジュールと、電力を輸送できるように前記第１の電力節点に接続する第１の電力ポートと、前記第１の電力ポートと前記第１の内蔵電源モジュールの間に設けられる第１の電力管理モジュールと、有する第１の携帯用電子装置と、を備え、
前記第１の電力管理モジュールは、前記第１の携帯用電子装置及び前記第２の携帯用電子装置の電容量を検出し、前記第１のデータ処理モジュールによって制御され、前記第１の携帯用電子装置の電容量が前記第２携帯用電子装置の電容量よりも小さい場合に、前記第１の携帯用電子装置を充電するために電流を前記第１の電力節点から前記第１の電力管理モジュールを介して流すことを決め、前記第１の携帯用電子装置の電容量が前記第２の携帯用電子装置の電容量よりも大きい場合に、前記第２の携帯用電子装置を充電するために、電流を前記第１の電力節点から前記第２の電力節点に流すことを決める、ことを特徴とする携帯用電子装置の相互電力供給システム。
【請求項２】
前記電力輸送媒介は、導線であり、前記第１の電力節点と前記第２の電力節点は、それぞれ、第１のコネクタ及び第２のコネクタである、請求項１に記載の携帯用電子装置の相互電力供給システム。
【請求項３】
前記電力輸送媒介は、
フラットケーブルと、
前記第１の携帯用電子装置がその上に載置され、前記第１の電力節点として、第１の誘導コイルを有する第１のワイヤレス充電セットと、
前記第２の携帯用電子装置がその上に載置され、前記第２の電力節点として、前記フラットケーブルを介して前記第１の誘導コイルに電気接続される第２の誘導コイルを有する第２のワイヤレス充電セットと、を備え、
前記第１の携帯用電子装置は、前記第１の誘導コイルと互いに誘導し、前記第１の電力ポートとして用いられる装置端誘導コイルをさらに備える、請求項１に記載の携帯用電子装置の相互電力供給システム。
【請求項４】
前記電力輸送媒介は、
前記第１の電力節点として用いられ、且つ前記第１の携帯用電子装置に設けられる第１の電気コネクタと、
前記第２の電力節点として用いられ、且つ前記第２の携帯用電子装置に設けられる第２の電気コネクタと、を備え、
前記第１の電気コネクタは前記第２の電気コネクタに接続されている、請求項１に記載の携帯用電子装置の相互電力供給システム。
【請求項５】
第１の携帯用電子装置に適用し、第２の携帯用電子装置を充電する、又は前記第２の携帯用電子装置から電力を取得するために用いられる方法であり、
第１の電力節点と第２の電力節点を有する電力輸送媒介を提供し、前記第１の電力節点が電力を輸送できるように前記第１の携帯用電子装置に接続するとともに、前記第２の電力節点が電力を輸送できるように前記第２の携帯用電子装置に接続するようにするステップと、
前記第１の携帯用電子装置の電力管理モジュールで前記第１の携帯用電子装置及び前記第２の携帯用電子装置の電容量を取得するステップと、
前記第１の携帯用電子装置の第１のデータ処理モジュールで前記第１の携帯用電子装置及び前記第２の携帯用電子装置の電容量を比較するステップと、
前記第１の携帯用電子装置の電容量が前記第２の携帯用電子装置の電容量よりも小さいと、前記電力管理モジュールが、前記第１のデータ処理モジュールの制御によって、電流が前記第１の電力節点から前記電力管理モジュールを介して前記第１の携帯用電子装置を充電することを決めるステップと、
前記第１の携帯用電子装置の電容量が前記第２の携帯用電子装置の電容量よりも大きいと、前記電力管理モジュールが、前記第１のデータ処理モジュールの制御によって、電流が前記第１の電力節点から前記第２の電力節点へ流れるようにし、前記第２の携帯用電子装置を充電するステップと、を備える、ことを特徴とする携帯用電子装置の相互電力供給方法。
【請求項６】
単方向への充電を強制する指令があるかを判断し、該指令がある場合、前記第２の携帯用電子装置への前記第１の携帯用電子装置の充電を強制するステップをさらに備える、請求項５に記載の携帯用電子装置の相互電力供給方法。
【請求項７】
単方向への受電を強制する指令があるかを判断し、該指令がある場合、前記第１の携帯用電子装置への前記第２の携帯用電子装置の充電を強制するステップをさらに備える、請求項５に記載の携帯用電子装置の相互電力供給方法。